(57)【特許請求の範囲】
【請求項１】
基地局制御装置の制御により加入者装置からの発信や加入者装置に対する着信を中継する基地局装置の状態遷移試験装置において、
状態切替えを実行すべき同期タイミングの指定情報であるシナリオが予めダウンロードされる前記加入者装置シミュレータと基地局制御装置シミュレータで構成し、
前記加入者装置シミュレータは、
状態の変化を検知すると、処理マージンがある場合は状態設定要求メッセージを前記基地局制御装置シミュレータへ送信する機能と、
前記基地局制御装置シミュレータから状態設定要求応答メッセージを受信すると、前記シナリオに含まれている同期タイミングの指定情報を基に同期補正信号を生成する機能と、
同期補正信号と現時点のフレーム信号を比較しフレーム番号が一致した時に状態切替えを実施する機能を有し、
前記基地局制御装置シミュレータは、
前記状態設定要求メッセージを受信すると、状態遷移に関するパラメータを設定して前記状態設定要求応答メッセージを前記加入者装置シミュレータへ返信し、また前記基地局へ状態設定要求メッセージを送信する機能と、
前記基地局から状態設定要求応答メッセージを受信すると、前記シナリオに含まれている同期タイミングの指定情報を基に前記基地局へ同期補正設定メッセージを送信する機能を有し、
前記基地局は、前記状態設定要求メッセージを受信すると状態遷移に関するパラメータを設定し、また前記同期補正設定メッセージを受信すると同期補正信号を生成し、同期補正信号と現時点のフレーム信号を比較しフレーム番号が一致した時に状態切替えを実施することを特徴とする基地局装置の状態遷移試験装置。
【請求項２】
前記加入者装置シミュレータは、
前記状態の変化を検知して前記処理マージンがある場合は状態変化を通知し、また前記状態切替えを実施する状態制御部と、
前記シナリオをダウンロードし、また前記同期補正信号を生成するスクリプト処理部と、
前記状態変化が通知されると前記状態設定要求メッセージを生成する送信制御部を備えたことを特徴とする請求項１記載の基地局装置の状態遷移試験装置。
【請求項３】
前記基地局制御装置シミュレータは、
前記加入者装置シミュレータからの状態設定要求メッセージに対しては前記状態設定要求応答メッセージおよび前記基地局への状態設定要求メッセージを生成し、前記基地局からの状態設定要求応答メッセージに対しては前記同期補正設定メッセージを生成する送信処理部と、
前記シナリオをダウンロードし、また前記シナリオに含まれている同期タイミングの指定情報を基に、前記送信処理部に前記同期補正設定メッセージを生成させるための信号を出力するスクリプト処理部を備えたことを特徴とする請求項１または請求項２記載の基地局装置の状態遷移試験装置。
【請求項４】
前記加入者装置シミュレータにおいて、その時点のフレーム信号のフレーム番号とシナリオに含まれているフレーム番号から、前記基地局装置での状態切替えタイミングまでの処理マージンを考慮して状態設定要求メッセージを送信することを特徴とする請求項１〜請求項３記載の基地局装置の状態遷移試験装置。
【請求項５】
請求項１〜請求項４記載の状態遷移試験装置を使用した基地局装置の状態遷移試験方法において、
状態切替えを実行すべき同期タイミングの指定情報であるシナリオを前記加入者装置シミュレータおよび前記基地局制御装置シミュレータに予めダウンロードする段階と、
前記加入者装置シミュレータにおいて状態の変化を検知すると、処理マージンがある場合は状態設定要求メッセージを前記基地局制御装置シミュレータへ送信する段階と、
前記基地局制御装置シミュレータにおいて前記状態設定要求メッセージを受信すると状態遷移に関するパラメータを設定して状態設定要求応答メッセージを返信し、また前記基地局へ状態設定要求メッセージを送信する段階と、
前記加入者装置シミュレータにおいて前記基地局制御装置シミュレータから状態設定要求応答メッセージを受信すると、前記シナリオに含まれている同期タイミングの指定情報を基に同期補正信号を生成し、該同期補正信号と現時点のフレーム信号を比較しフレーム番号が一致した時に状態切替えを実施する段階と、
前記基地局において前記状態設定要求メッセージを受信すると状態遷移に関するパラメータを設定する段階と、
前記基地局制御装置シミュレータにおいて前記基地局から状態設定要求応答メッセージを受信すると、前記シナリオに含まれている同期タイミングの指定情報を基に前記基地局へ同期補正設定メッセージを送信する段階と、
前記基地局において前記同期補正設定メッセージを受信すると同期補正信号を生成し、同期補正信号と現時点のフレーム信号を比較しフレーム番号が一致した時に状態切替えを実施する段階を有することを特徴とする基地局装置の状態遷移試験方法。
【発明の詳細な説明】
【技術分野】
【０００１】
本発明は、基地局装置の状態遷移試験、特に、加入者装置がセルの間を移動した場合等、基地局装置と加入者装置の間の状態が遷移した場合における基地局装置の状態遷移試験に関する。
【背景技術】
【０００２】
携帯電話やPHS等の移動体通信端末が各基地局のサービスエリアの単位であるセルの間を移動した場合等、基地局装置と加入者装置の間の状態が遷移した場合には、その度に、基地局装置と加入者装置間の同期タイミングの調整を行う必要がある。そこで、状態が遷移した場合に基地局装置が適切に対応できるかを試験しておくことが重要になる。
【０００３】
図４はこの種の従来技術を示すブロック図である（文献公知発明に係るものではない）。加入者装置１は、携帯電話やPHS等ユーザによって使用される移動体通信端末であって、受信部10，受信処理部11，送信処理部12，送信部13および状態制御部14で構成される。基地局装置２は、加入者装置１からの発信や加入者装置１に対する着信を中継する装置であって、受信部20，受信処理部21，送信処理部22，送信部23および状態制御部24で構成される。基地局制御装置３は、多数の基地局２を制御する装置であって、受信部30，受信処理部31，送信処理部32および送信部33で構成される。加入者装置１の間では、基地局制御装置３および基地局２を経由して相互に通信する。
【０００４】
図５は、従来技術による基地局装置の状態遷移試験方法の手順を示すシーケンス図である。いま、加入者装置１および基地局装置２にフレーム信号を流しつつ加入者装置１の状態をＡからＢに変化させると、この状態変化が加入者装置１の状態制御部14で検知される（図５のT1）。このとき、状態制御部14は送信処理部12へ状態変化を通知し、送信処理部12は状態設定要求メッセージを生成し、送信部13を介して基地局制御装置３へ状態設定要求メッセージを送信する（図５のT2）。
【０００５】
基地局制御装置３では、受信部30で状態設定要求メッセージを受信し、受信処理部31での解析処理を経て、送信処理部32で状態設定要求応答メッセージを生成し送信部33が加入者装置１に対して返信する（図５のT3）。また、送信部33は加入者装置１から受け取った状態Ｂへの状態設定要求メッセージを基に同様な手順で生成された状態設定要求メッセージを基地局装置２に送信する（図５のT4）。状態設定要求メッセージを受信部20で受け取った基地局装置２では、受信処理部21において状態Ｂへの遷移に関するパラメータ設定後に、送信処理部22が状態設定要求応答メッセージを生成し、送信部23を介して基地局制御装置３へ返信する（図５のT5）。
【０００６】
次に、基地局制御装置３は基地局装置２からの状態設定要求応答メッセージを受信後、基地局装置２に対して、同期補正設定メッセージを送信する（図５のT6）。同期補正設定メッセージの情報には、状態切替えを実行する時のフレーム番号を含み、受信処理部21から同期補正信号として状態制御部24に出力される。このフレーム番号は現時点のフレ番号から判断して切替えが間に合うように適切に選定される。状態制御部24は受け取った同期補正信号とフレーム信号を比較して、フレーム番号が一致した時に状態切替えを実施する。
【０００７】
また、基地局制御装置３は、加入者装置１に対しても同期補正設定メッセージを送信し（図５のT7）、加入者装置１側でも同様な処理動作を状態制御部14で行う。
【０００８】
図６ではフレーム番号で状態切替えを行う例を示す。基地局制御装置３から同期補正設定メッセージを受信した加入者装置１と基地局装置２は、図６に示すように、フレーム番号のタイミングにて状態Ａから状態Ｂへ切り替わる。状態が遷移したことは、状態Ａのセルからの受信電波レベルが減少し、状態Ｂのセルからの受信電波レベルが増大することにより確認できる。加入者装置１と基地局装置２が共に状態Ｂになったら、基地局制御装置３と加入者装置１の間でデータの送受信が行われる（図５のT8）。
【０００９】
また、状態遷移に伴う加入者装置１と基地局装置２の同期に関するものではないが、特許文献１には、移動体通信端末の接続状態が適切にセル間を遷移しているかを擬似基地局により試験するに当たり、接続状態または試験の進捗状態を視覚認識可能にした技術が記載されている。
【００１０】
更に、セル間の移動に伴う同期に関するものではないが、特許文献２には、移動体端末と基地局が音声通信を行っている最中に、移動体端末がユーザからパケット通信を追加する指示を受け付ける等、第１の呼に係る通信と第２の呼に係る通信とを組み合せた通信を開始させるために、移動体端末と基地局との間で同期確立を試み、切り戻し時刻が到来するまでに同期確立できなかった場合は、同期確立を中止し第１の呼に係る通信を再開させる技術が記載されている。
【００１１】
【特許文献１】特開2004-289679号公報（第２頁−第４頁、図１）
【特許文献２】特開2003-188775号公報（第４頁−第６頁、図１）
【発明の開示】
【発明が解決しようとする課題】
【００１２】
図４〜図６により説明した従来技術では、加入者装置を移動させて状態変化を作出するタイミングにより、基地局制御装置が状態切替えを実行する時のフレーム番号を主導的に定めるため、任意のタイミングでの状態切替え動作を試験するためには、実用上起こり得る様々なタイミングでの切替えについて試験するには煩瑣であるという問題点がある。
【００１３】
従って、本発明の目的は、任意のタイミングでの状態切替えを簡易に試験することができる基地局装置の状態遷移試験装置および試験方法を提供することにある。
【課題を解決するための手段】
【００１４】
本発明の基地局装置の状態遷移試験装置は、基地局制御装置の制御により加入者装置からの発信や加入者装置に対する着信を中継する基地局装置の状態遷移試験装置において、状態切替えを実行すべき同期タイミングの指定情報であるシナリオが予めダウンロードされる加入者装置シミュレータ（図１の1S）と基地局制御装置シミュレータ（図１の3S）で構成し、加入者装置シミュレータ（図１の1S）は、状態の変化を検知すると、処理マージンがある場合は状態設定要求メッセージを基地局制御装置シミュレータへ送信する機能と、基地局制御装置シミュレータから状態設定要求応答メッセージを受信すると、シナリオに含まれている同期タイミングの指定情報を基に同期補正信号を生成する機能と、同期補正信号と現時点のフレーム信号を比較しフレーム番号が一致した時に状態切替えを実施する機能を有し、基地局制御装置シミュレータ（図１の3S）は、状態設定要求メッセージを受信すると、状態遷移に関するパラメータを設定して状態設定要求応答メッセージを加入者装置シミュレータへ返信し、また基地局（図１の２）へ状態設定要求メッセージを送信する機能と、基地局から状態設定要求応答メッセージを受信すると、シナリオに含まれている同期タイミングの指定情報を基に基地局へ同期補正設定メッセージを送信する機能を有し、基地局（図１の２）は、状態設定要求メッセージを受信すると状態遷移に関するパラメータを設定し、また同期補正設定メッセージを受信すると同期補正信号を生成し、同期補正信号と現時点のフレーム信号を比較しフレーム番号が一致した時に状態切替えを実施することを特徴とする。
【００１５】
具体的には、加入者装置シミュレータ（図１の1S）は、状態の変化を検知して処理マージンがある場合は状態変化を通知し、また状態切替えを実施する状態制御部（図１の14）と、記シナリオをダウンロードし、また同期補正信号を生成するスクリプト処理部（図１の11S）と、状態変化が通知されると状態設定要求メッセージを生成する送信制御部（図１の12）を備える。
【００１６】
また、基地局制御装置シミュレータ（図１の3S）は、加入者装置シミュレータからの状態設定要求メッセージに対しては状態設定要求応答メッセージおよび基地局への状態設定要求メッセージを生成し、基地局からの状態設定要求応答メッセージに対しては同期補正設定メッセージを生成する送信処理部（図１の32）と、シナリオをダウンロードし、またシナリオに含まれている同期タイミングの指定情報を基に、送信処理部に同期補正設定メッセージを生成させるための信号を出力するスクリプト処理部（図１の31S）を備える。
【００１７】
更に、加入者装置シミュレータ（図１の1S）において、その時点のフレーム信号のフレーム番号とシナリオに含まれているフレーム番号から、基地局装置での状態切替えタイミングまでの処理マージンを考慮して状態設定要求メッセージを送信する。
【００１８】
本発明では、先ず、状態切替えを実行すべき同期タイミングの指定情報であるシナリオを加入者装置シミュレータおよび基地局制御装置シミュレータに予めダウンロードする。そして、加入者装置シミュレータにおいて状態の変化を検知すると、処理マージンがある場合は状態設定要求メッセージを基地局制御装置シミュレータへ送信する。
【００１９】
基地局制御装置シミュレータにおいて状態設定要求メッセージを受信すると状態遷移に関するパラメータを設定して状態設定要求応答メッセージを返信し、また基地局へ状態設定要求メッセージを送信する。加入者装置シミュレータにおいて基地局制御装置シミュレータから状態設定要求応答メッセージを受信すると、シナリオに含まれている同期タイミングの指定情報を基に同期補正信号を生成し、該同期補正信号と現時点のフレーム信号を比較しフレーム番号が一致した時に状態切替えを実施する。
【００２０】
また、基地局において状態設定要求メッセージを受信すると状態遷移に関するパラメータを設定する。基地局制御装置シミュレータにおいて基地局から状態設定要求応答メッセージを受信すると、シナリオに含まれている同期タイミングの指定情報を基に基地局へ同期補正設定メッセージを送信する。基地局において前記同期補正設定メッセージを受信すると同期補正信号を生成し、同期補正信号と現時点のフレーム信号を比較しフレーム番号が一致した時に状態切替えを実施する。
【発明の効果】
【００２１】
本発明では、加入者装置シミュレータと基地局制御装置シミュレータにダウンロードされる、スプリクト処理を実行するためのシナリオに同期タイミングの指定を行うことにより、基地局制御装置シミュレータから加入者装置シミュレータへの同期補正設定を行うことなく、基地局と加入者装置シミュレータの状態切替えを同一のタイミングで実行可能となり、かつ簡易的な状態遷移の評価が可能となる。また、シナリオで同期タイミングを指定できるため任意のタイミングでの状態切替え動作が可能となる。
【発明を実施するための最良の形態】
【００２２】
以下、本発明の実施の形態について図面を参照しながら詳細に説明する。
【００２３】
[構成の説明]
図１は本発明の基地局装置の状態遷移試験装置の構成を基地局装置と共に示すブロック図である。本試験装置は、加入者装置シミュレータ（以下、「UEシミュレータ」と記す）1Sと、基地局制御装置シミュレータ（以下、「RNCシミュレータ」と記す）3Sで構成される。
【００２４】
UEシミュレータ1Sは、携帯電話やPHS等ユーザによって使用される移動体通信端末である加入者装置の擬似装置であって、受信部10，スプリクト処理部11S，送信処理部12，送信部13および状態制御部14で構成される。基地局装置２は、加入者装置からの発信や加入者装置に対する着信を中継する装置であって、受信部20，受信処理部21，送信処理部22，送信部23および状態制御部24で構成される。RNCシミュレータ3Sは、多数の基地局２を制御する基地局制御装置の擬似装置であって、受信部30，スプリクト処理部31S，送信処理部32および送信部33で構成される。
【００２５】
この試験装置は、図４に示した従来の試験装置と対比すれば明らかなように、加入者装置１がUEシミュレータ1S、加入者装置１の受信処理部11がUEシミュレータ1Sのスプリクト処理部11S、基地局制御装置３がRNCシミュレータ3S、基地局制御装置３の受信処理部31がRNCシミュレータ3Sのスプリクト処理部31Sと入れ替わっている。スプリクト処理部11S，スプリクト処理部31Sは、状態遷移試験を行なうに当たって、同一の状態遷移シナリオ（以下、「シナリオ」と記す）40，50をダウンロードする。シナリオとは、状態切替えを実行すべき同期タイミングの指定情報であり、これから状態切替えを実行すべきフレーム番号が割り出せる。
【００２６】
UEシミュレータ1Sの受信部10はRNCシミュレータ3Sからメッセージを受信してスプリクト処理部11Sに伝え、送信部13はRNCシミュレータ3Sへメッセージを送信する。また、基地局装置２の受信部20はRNCシミュレータ3Sからメッセージを受信して受信処理部21に伝え、送信部23はRNCシミュレータ3Sへメッセージを送信する。RNCシミュレータ3Sの受信部30はUEシミュレータ1Sおよび基地局装置２からメッセージを受信してスプリクト処理部31Sに伝え、UEシミュレータ1Sおよび基地局装置２へメッセージを送信する。
【００２７】
UEシミュレータ1Sのスプリクト処理部11Sは、受信された状態設定要求応答メッセージを受けると、シナリオに含まれている同期タイミングの指定情報を基に同期補正信号を生成（スクリプト処理）して状態制御部14に出力する。状態制御部14は、状態の変化を検知すると、その時点のフレーム番号と同期補正信号に含まれているフレーム番号から、基地局装置２での状態切替えタイミングまでの処理マージンを考慮して、処理マージンがある場合は状態変化を送信処理部12に通知する。また、同期補正信号を受けると、同期補正信号と現時点のフレーム信号を比較しフレーム番号が一致した時に状態切替えを実施する。送信処理部12は、状態制御部14から状態変化通知を受けると状態設定要求メッセージを生成し送信部13を介して送信する。
【００２８】
RNCシミュレータ3Sのスプリクト処理部31Sは、受信された状態設定要求メッセージを受けると状態遷移に関するパラメータを設定する。また、状態設定要求応答メッセージを受け場合には、シナリオで指定されている状態切替えを実行するためのフレーム番号を含む信号を送信処理部32に伝える。すなわち、シナリオに含まれている同期タイミングの指定情報を基に、送信処理部32に同期補正設定メッセージを生成させるための信号を出力（スクリプト処理）する。
【００２９】
送信処理部32は、状態設定要求メッセージに対しては状態設定要求応答メッセージおよび状態設定要求メッセージを生成し、状態設定要求応答メッセージに対しては同期補正設定メッセージを生成する。送信部33は、状態設定要求応答メッセージはUEシミュレータ1S、状態設定要求メッセージおよび同期補正設定メッセージは基地局装置２へ送信する。ここで、RNCシミュレータ3SからUEシミュレータ1Sへは同期補正設定メッセージが送信されないことに留意されたい。
【００３０】
基地局２の受信処理部21は、受信された状態設定要求メッセージを受けると状態遷移に関するパラメータを設定し、受信された同期補正設定メッセージを受けると同期補正信号を状態制御部24に出力する。送信処理部22は状態設定要求メッセージに対して状態設定要求応答メッセージを生成する。また、状態制御部24は入力された同期補正信号と現時点のフレーム信号を比較しフレーム番号が一致した時に状態切替えを実施する。
【００３１】
[動作の説明]
次に、以上のように構成された試験装置を使用した本基地局装置の状態遷移試験方法について図２および図３のシーケンス図を参照しながら説明する。
【００３２】
先ず、状態遷移試験を行う前に、UEシミュレータ11S側のシナリオ40をUEシミュレータ11Sのスプリクト処理部11Sに、またRNCシミュレータ3S側のシナリオ50をRNCシミュレータ31Sのスプリクト処理部31Sにそれぞれダウンロードする。いま、UEシミュレータ1Sおよび基地局装置２にフレーム信号を流しつつ加入者装置1Sの状態をＡからＢに変化させると、この状態変化がUEシミュレータ11Sの状態制御部14で検知される（図２のS1）。
【００３３】
UEシミュレータ1Sにおいて状態Ａから状態Ｂへの変化を検知したら、状態制御部14はシナリオに指定されているフレーム番号に対して２以上のマージンがあるか判断し、マージンがあった場合は即時に状態変化通知を送信処理部12に出力する。現時点のフレーム番号とシナリオに指定されているフレーム番号から、基地局装置２での状態切替えタイミングまでの処理マージンとして、２以上のフレームを要するからである。一方、処理マージンが無い場合時は、フレーム信号が指定されたフレーム番号が過ぎてから、状態変化を送信処理部12に通知する。フレーム信号におけるフレーム番号は循環しているので、次サイクルにおいて指定されたフレーム番号が巡ってくるまで待ち合わせるのである。送信処理部12では状態設定要求メッセージを生成し、送信部13を介してRNCシミュレータ3Sへメッセージを送信する（図２のS2）。
【００３４】
RNCシミュレータ3Sでは、受信部30で状態設定要求メッセージを受信し、スクリプト処理部31Sでの状態遷移に関するパラメータ設定を経て、送信処理部32で状態設定要求応答メッセージを生成し送信部33がUEシミュレータ1Sに対して返信する（図２のS3）。また、送信部33はUEシミュレータ1Sから受け取った状態Ｂへの状態設定要求メッセージを基に同様な手順で生成した状態設定要求メッセージを基地局装置２に送信する（図２のS4）。
【００３５】
状態設定要求メッセージを受け取った基地局装置２では、スクリプト処理部11Sにおいて状態Ｂへの遷移に関するパラメータ設定後に、送信処理部12が状態設定要求応答メッセージを生成し、送信部13を介してRNCシミュレータ3Sに返信する（図２のS5）。一方、状態設定要求応答メッセージを受信した（図２のS3）UEシミュレータ1Sにおいては、スクリプト処理部11Sがシナリオを基に同期補正信号を生成して状態制御部14に出力する。状態制御部14は、同期補正信号を受けると、同期補正信号とフレーム信号を比較して、フレーム番号が一致した時に状態切替えを実施する。
【００３６】
次に、RNCシミュレータ3Sは基地局装置２からの状態設定要求応答メッセージを受信後、基地局装置２に対して、シナリオに基づいて同期補正設定メッセージを送信する（図２のS6）。同期補正設定メッセージの情報には、前述のように、シナリオで指定した状態切替えを実行するためのフレーム番号を含み、同期補正信号として受信処理部21から状態制御部24に出力される。このフレーム番号は現時点のフレ番号から判断して切替えが間に合うように適切に選定される。状態制御部24は受け取った同期補正信号とフレーム信号を比較して、フレーム番号が一致した時に状態切替えを実施する。
【００３７】
上の説明では、UEシミュレータ1Sでは図２のS3後に状態切替えを実施し、基地局装置２では図２のS6後に、それぞれ同期補正信号と現時点のフレーム信号のフレーム番号が一致した時に状態切替えを実施するとしているため、同時に切替えを実施することに対して、あるいは不明瞭な感を与えるかもしれない。図３は、この危惧を一掃するためのシーケンス図である。
【００３８】
図３では、フレーム番号=55での状態切替えを行う場合の例を示す。タイミングはフレーム番号に沿って図３の上方から下方へ流れているものとする。UEシミュレータ1Sにおいては、フレーム番号49の時点で状態変化を検知し、フレーム番号51の時点でRNCシミュレータ3Sから状態設定要求応答があっても、フレーム番号52の時点でタイミング設定した後、状態切替えはフレーム番号55の時点まで待ち合わせている。一方、基地局装置２では、フレーム番号54の時点でフレーム番号55を伴ったRNCシミュレータ3Sから状態設定要求があり、フレーム番号55点で状態切替えを実行している。
【００３９】
このようにして、UEシミュレータ1SとRNCシミュレータ3Sで、シナリオで任意に指定する同期タイミングのフレーム番号を同一とすることで同一タイミングでの状態切替えが可能となる。この結果、UEシミュレータ1Sと基地局装置２は、図６に示したように、同一フレーム番号のタイミングで状態Ａから状態Ｂへ切り替わる。そして、UEシミュレータ1Sと基地局装置２が共に状態Ｂになったら、RNCシミュレータ3S-UEシミュレータ1S間でデータの送受信が行われる（図２のS7）。
【図面の簡単な説明】
【００４０】
【図１】本発明の基地局装置の状態遷移試験装置の構成を基地局装置と共に示すブロック図
【図２】本基地局装置の状態遷移試験方法のシーケンス図
【図３】本基地局装置の状態遷移試験方法の具体的なシーケンス図
【図４】従来の基地局装置の状態遷移試験装置の構成を示すブロック図
【図５】従来の基地局装置の状態遷移試験方法のシーケンス図
【図６】状態遷移評価の同期タイミング図
【符号の説明】
【００４１】
１          加入者装置
２          基地局装置
３          基地局制御装置
10，20，30  受信部
11，21，31  受信処理部
12，22，32  送信処理部
13，23，33  送信部
14，24      状態制御部
40，50      シナリオ
1S          UEシミュレータ
3S          RNCシミュレータ
11S，31S    スクリプト処理部
【図１】
0004741974.tif 000002
【図２】
0004741974.tif 000003
【図３】
0004741974.tif 000004
【図４】
0004741974.tif 000005
【図５】
0004741974.tif 000006
【図６】
0004741974.tif 000007